(57)【要約】      （修正有）【課題】一般的な蛍光灯照明器具に適用するＬＥＤランプ構造に関し、とりわけ一般的な蛍光灯照明器具に直接取り付けられるものの、故障・損傷しないＬＥＤランプ構造を提供する。【解決手段】ＬＥＤランプ構造は主に、チューブランプ本体１と、ＬＥＤモジュール２と、第１の整流モジュール３と、第２の整流モジュール４などの部分を備えていることが分かる。このうち前記チューブランプ本体１は透光性を持つ長尺状中空チューブ体であって、その形状及び規格は一般的な蛍光灯の規定（長さ、幅、直径）に適合するのがより好ましく、前記チューブランプ本体１の両端部には第１、２の接点組１１、１２がそれぞれ設けられており、前記第１、２の接点組１１、１２には二つの接点１１１、１１２、１２１、１２２がそれぞれ設けられている。【選択図】図２
0003192283.tif 000002
【実用新案登録請求の範囲】
【請求項１】
対向して配置されている二つのソケットが設けられ、二つの前記ソケットには対応する二つの挿入孔がそれぞれ設けられており、このうち前記ソケットは二つの前記挿入孔でスタータの一端及び安定器にそれぞれ接続されるとともに、前記安定器によって外部電源の一端に更に接続され、他方の前記ソケットは二つの前記挿入孔で前記スタータの他端及び外部電源の他端にそれぞれ接続され、蛍光灯照明器具に組付けることが可能である一般的な蛍光灯照明器具に適用するＬＥＤランプ構造であって、前記ＬＥＤランプは、
両端部には第１、第２の接点組がそれぞれ設けられ、前記第１、第２の接点組には二つの前記ソケット上にある各前記挿入孔と互いに接触可能な二つの接点がそれぞれ設けられている、透光性のある長尺状チューブ体であるチューブランプ本体と、
前記チューブランプ本体内に配置され、電源に接続可能な第１の端子及び第２の端子が設けられている、通電後に発光するＬＥＤモジュールと、
前記ＬＥＤモジュールと前記第１の接点組との間に設けられ、それぞれ前記第１の接点組の各接点から前記ＬＥＤモジュールの第１の端子に導通する二つの順方向ダイオード、及び前記ＬＥＤモジュールの第２の端子から前記第１の接点組の各接点に導通する二つの逆方向ダイオードが設けられている第１の整流モジュールと、
前記ＬＥＤモジュールと前記第２の接点組との間に設けられ、それぞれ前記第２の接点組の各接点から前記ＬＥＤモジュールの第１の端子に導通する二つの逆方向ダイオード、及び前記ＬＥＤモジュールの第２の端子から前記第２の接点組の各接点に導通する二つの順方向ダイオードが設けられている第２の整流モジュールと、を少なくとも備えており、
前記第１、２の整流モジュール組の各順方向ダイオード及び前記逆方向ダイオードにより、外部電源の電流が蛍光灯照明器具の前記スタータに流れるのを阻止して、前記蛍光灯照明器具にて各前記ソケットに高電圧が発生して前記ＬＥＤモジュールが損傷してしまうのを効果的に防止する、ことを特徴とする一般的な蛍光灯照明器具に適用するＬＥＤランプ構造。
【請求項２】
前記チューブランプ本体は両端部において、外側に突出する二つの導電性端子ピンがそれぞれ設けられるとともに、前記第１、２の接点接点組の各接点が前記各導電性端子ピンにそれぞれ配置されている、ことを特徴とする請求項１に記載の一般的な蛍光灯照明器具に適用するＬＥＤランプ構造。
【請求項３】
前記第１、２の整流モジュール組はそれぞれ二つの前記順方向ダイオード及び二つの前記逆方向ダイオードが互いにブリッジ形式で接続する構成となっている、ことを特徴とする請求項１に記載の一般的な蛍光灯照明器具に適用するＬＥＤランプ構造。
【請求項４】
前記ＬＥＤモジュールは定電圧回路と、少なくとも一つのＬＥＤ素子を備えた、ことを特徴とする請求項１に記載の一般的な蛍光灯照明器具に適用するＬＥＤランプ構造。
【考案の詳細な説明】
【技術分野】
【０００１】
本考案は一般的な蛍光灯照明器具に適用するＬＥＤランプ構造に関し、とりわけ一般的な蛍光灯照明器具に直接取り付けられるものの、故障・損傷しないＬＥＤランプ構造に関する。
【背景技術】
【０００２】
従来の蛍光灯照明器具の配線構造は、図１に示すように、照明器具の両端にソケットＸ、ソケットＹがそれぞれ設けられており、前記ソケットＸ上には挿入孔Ｘ１、挿入孔Ｘ２が設けられている一方で、前記ソケットＹには挿入孔Ｙ１、挿入孔Ｙ２が設けられている。このうち前記挿入孔Ｘ１、前記挿入孔Ｙ１はスタータＳ（つまりコンデンサー）の両端に接続されており、前記挿入孔Ｘ２、Ｙ２はそれぞれスイッチＧ及び安定器Ｌ（つまりインダクタ）を介して電源接点Ａ、Ｂに接続されるとともに、前記電源接点Ａ、Ｂは外部電源に結合される。
【０００３】
実際の応用においては、一般的な蛍光灯構造ではチューブランプ９内に水銀蒸気を封入するとともに、前記チューブランプ９内壁面には粉末蛍光体が塗布されており、前記チューブランプ９の両端には前記ソケットＸ、Ｙに挿入嵌合可能な二つの接点組９１、９２がそれぞれ設けられており、前記接点組９１は挿入孔Ｘ１、Ｘ２に挿入可能な端子ピン９１１、９１２を備えており、前記端子ピン９１１、９１２の間は抵抗値の低いコイルで連結されており、前記接点組９２は前記挿入孔Ｙ１、Ｙ２に挿入可能な端子ピン９２１、９２２を備えており、前記端子ピン９２１、９２２の間は抵抗値の低いコイルで連結されている。前記スイッチＧが外部電源に導通すると、電流が前記チューブランプ９の一端の接点組９１（又は前記接点組９２）からスタータＳ（コンデンサー）を通過して、更に前記チューブランプ９の他端の接点組９２（又は前記接点組９１）に流れた後、最後に安定器Ｌ（インダクタ）を通過するようにしてループ回路を形成する。これにより、前記スタータＳ（キャパシタ）と安定器Ｌ（インダクタ）との間に共振が発生して、前記チューブランプ９の両端の接点組９１、９２にそれぞれ高電圧（約１．２ｋｖ）を発生する。前記高電圧は前記チューブランプ９内の水銀蒸気に作用して、粉末蛍光体を励起して照明光を発生することができる。
【考案の概要】
【考案が解決しようとする課題】
【０００４】
しかしながら、上記した照明器具構造にて、もし一般に常用されるＬＥＤチューブランプを装着した場合には、前記スタータＳ（キャパシタ）と安定器Ｌ（インダクタ）との共振にて発生する高電圧がＬＥＤチューブランプに印加されてしまい、ＬＥＤチューブランプ内部の定電圧回路が焼損して、故障する不具合が起きてしまう。したがって、もし一般的なＬＥＤチューブランプを蛍光灯照明器具に装着するに際して、現在良く行われている方法では、まず照明器具を取り外すとともに、前記スタータＳ及び安定器Ｌを取り外して（共振作用をなくすため）、更に前記照明器具を元の位置に戻して組付けて、最後になってようやくＬＥＤチューブランプを蛍光灯照明器具に取り付けている。こうなると、使用上の不便を来すのみならず、前記蛍光灯照明器具が改造された後には元の蛍光灯を適用することはできなくなるうえ、応用上で制限されてしまうため、全体的な経済性に影響を及ぼしてしまう。
【０００５】
従来のＬＥＤチューブランプを蛍光灯照明器具に応用するにおいて上記した欠点があることに鑑み、考案者はこれら欠点につき改善策を研究することで、ついに本考案を発案した。
【課題を解決するための手段】
【０００６】
本考案の主な目的は、照明器具を一切改造しないという前提において、一般的な蛍光灯照明器具に直接応用することができ、故障・損傷を来すことがない、一般的な蛍光灯照明器具に適用するＬＥＤランプ構造を提供するところにある。
【０００７】
本考案の他の目的は、使用前において、蛍光灯照明器具を一切改造することなく、一般的な蛍光灯照明器具にＬＥＤランプを使用するという作業手順を効果的に簡素化し、全体的な取り扱い利便性を持たせることができる、一般的な蛍光灯照明器具に適用するＬＥＤランプ構造を提供するところにある。
【０００８】
本考案の更に他の目的は、一般的な蛍光灯照明器具にてＬＥＤランプ及び蛍光灯を同時に適用することができ、一切の工事改造を完全になくし、全体的な経済性を高めることができる一般的な蛍光灯照明器具に適用するＬＥＤランプ構造を提供するところにある。
【０００９】
上記した目的及び効果を達成するために、本考案で採用する技術的手段は以下の内容を含む。対向して配置されている二つのソケットが設けられ、二つの前記ソケットには対応する二つの挿入孔がそれぞれ設けられ、このう前記ちソケットは二つの前記挿入孔でスタータの一端及び安定器にそれぞれ接続されるとともに、前記安定器によって外部電源の一端に更に接続されており、他方の前記ソケットは二つの前記挿入孔で前記スタータの他端及び外部電源の他端にそれぞれ接続され、蛍光灯照明器具に組付けることが可能であるＬＥＤランプ構造であって、前記ＬＥＤランプは、両端部には第１、第２の接点組がそれぞれ設けられ、前記第１、第２の接点組には二つの前記ソケット上にある各前記挿入孔と互いに接触可能な二つの接点がそれぞれ設けられている、透光性のある長尺状チューブ体であるチューブランプ本体と；前記チューブランプ本体内に配置され、電源に接続可能な第１の端子及び第２の端子が設けられている、通電後に発光するＬＥＤモジュールと；前記ＬＥＤモジュールと前記第１の接点組との間に設けられ、それぞれ前記第１の接点組の各接点から前記ＬＥＤモジュールの第１の端子に導通する二つの順方向ダイオード、及び前記ＬＥＤモジュールの第２の端子から第１の接点組の各接点に導通する二つの逆方向ダイオードが設けられている第１の整流モジュールと；前記ＬＥＤモジュールと第２の接点組との間に設けられており、それぞれ前記第２の接点組の各接点から前記ＬＥＤモジュールの第１の端子に導通する二つの逆方向ダイオード、及前記びＬＥＤモジュールの第２の端子から第２の接点組の各接点に導通する二つの順方向ダイオードが設けられている第２の整流モジュールと；を少なくとも備えており、前記第１、２の整流モジュール組の各順方向ダイオード及び前記逆方向ダイオードにより、外部電源の電流が蛍光灯照明器具の前記スタータに流れるのを阻止して、前記蛍光灯照明器具にて各前記ソケットに高電圧が発生して前記ＬＥＤモジュールが損傷してしまうのを効果的に防止する。
【００１０】
上記構造により、前記チューブランプ本体は両端部において、外側に突出する二つの導電性端子ピンがそれぞれ設けられるとともに、前記第１、２の接点組の各接点が前記各導電性端子ピンにそれぞれ配置されている。
【００１１】
上記構造により、前記第１、２の整流モジュール組はそれぞれ二つの順方向ダイオード及び二つの逆方向ダイオードが互いにブリッジ形式で接続する構成となっている。
【００１２】
上記構造により、前記ＬＥＤモジュールは定電圧回路と、少なくとも一つのＬＥＤ素子とを備えている。
【図面の簡単な説明】
【００１３】
【図１】従来の蛍光灯照明器具の配線構造図である。
【図２】本考案の配線構造図である。
【図３】本考案を一般的な蛍光灯照明器具に組付けた一つの実施例の状態図である。
【図４】本考案を一般的な蛍光灯照明器具に組付けた他の実施例の状態図である。
【考案を実施するための形態】
【００１４】
本考案の上記目的、効果及び特徴がより理解されるために、下記の図面に基づいて以下の通り説明する。
【００１５】
図２を参照されたい。本考案のＬＥＤランプ構造は主に、チューブランプ本体１と、ＬＥＤモジュール２と、第１の整流モジュール３と、第２の整流モジュール４などの部分を備えていることが分かる。このうち前記チューブランプ本体１は透光性を持つ長尺状中空チューブ体であって、その形状及び規格は一般的な蛍光灯の規定（長さ、幅、直径）に適合するのがより好ましく、前記チューブランプ本体１の両端部には第１、２の接点組１１、１２がそれぞれ設けられており、前記第１、２の接点組１１、１２には二つの接点１１１、１１２、１２１、１２２がそれぞれ設けられている。一つの可能な実施例において、前記チューブランプ本体１の両端部には外側に突出する導電性の端子ピンがそれぞれ設けられており、しかも隣接する二つの導電性の端子ピンは一般的な蛍光灯の金属製端子ピンと同じ間隔の距離を有しており、そして各前記接点１１１、１１２、１２１、１２２は各端子ピンにそれぞれ設けられている。
【００１６】
前記ＬＥＤモジュール２は現在汎用されているＬＥＤランプ構造であって、前記チューブランプ本体１内に配置されている。実際の応用において、前記ＬＥＤモジュール２は交流電源を整流、ろ波及び定電圧にする定電圧回路（図示せず）、及び通電後に発光するＬＥＤ素子（図示せず）を少なくとも一つ備える。本実施例においては、前記ＬＥＤモジュール２には交流電源に接続可能な第１の端子２１及び第２の端子２２が設けられている。
【００１７】
前記第１の整流モジュール３は前記ＬＥＤモジュール２と前記第１の接点組１１との間に設けられており、前記第１の整流モジュール３には、それぞれ前記第１の接点組１１の接点１１１、１１２から前記ＬＥＤモジュール２の第１の端子２１に導通する二つの順方向ダイオードＤ３１、Ｄ３２、及び前記ＬＥＤモジュール２の第２の端子２２から前記第１の接点組１１の各接点１１１、１１２に導通する二つの逆方向ダイオードＤ３３、Ｄ３４が設けられている。上記した二つの前記順方向ダイオードＤ３１、Ｄ３２及び二つの前記逆方向ダイオードＤ３３、Ｄ３４はブリッジ形式で接続する構造となっている。
【００１８】
前記第２の整流モジュール４は前記ＬＥＤモジュール２と前記第２の接点組１２との間に設けられており、前記第２の整流モジュール４には、それぞれ前記第２の接点組１２の接点１２１、１２２から前記ＬＥＤモジュール２の第１の端子２１に導通する二つの逆方向ダイオードＤ４３、Ｄ４４、及び前記ＬＥＤモジュール２の第２の端子２２から第２の接点組１２の各接点１２１、１２２に導通する二つの順方向ダイオードＤ４１、Ｄ４２が設けられている。上記した二つの前記順方向ダイオードＤ４１、Ｄ４１及び二つの前記逆方向ダイオードＤ４３、Ｄ４４はブリッジ形式で接続する構造となっている。
【００１９】
図３を参照されたい。本考案は実際の応用時にて、蛍光灯照明器具に組付けることができるものであって、前記蛍光灯照明器具は対向して配置されている二つのソケットＸ、Ｙを備えており、二つの前記ソケットＸ、Ｙには対応する二つの挿入孔Ｘ１、Ｘ２、Ｙ１、Ｙ２がそれぞれ設けられており、このうち前記ソケットＹは前記挿入孔Ｙ１でスタータＳの一端に接続されており、前記ソケットＹは他方の挿入孔Ｙ２で安定器Ｌの一端に接続されるとともに、前記安定器Ｌはまた外部電源の電源接点Ｂに接続され、他方の前記ソケットＸは前記挿入孔Ｘ１で前記スタータＳの他端に接続され、前記ソケットＸの他方の挿入孔Ｘ２は必要に応じてスイッチＧを介して外部電源の電源接点Ａに接続されていることが分かる。
【００２０】
使用に際しては、前記チューブランプ本体１は両端（端子ピン）で二つの前記ソケットＸ、Ｙに結合するものであって、前記接点１１１、１１２、１２１、１２２が前記挿入孔Ｘ１、Ｘ２、Ｙ１、Ｙ２に接触して順次に導通したとき、前記スイッチＧが繋がった後、外部（交流）電源が前記電源接点Ａ、Ｂにより導入される。もし電流が正半周したときには前記電源接点Ａから導入されて、前記挿入孔Ｘ２から前記接点１１２、前記順方向ダイオードＤ３２を順次に通過し、更に前記第１の端子２１から前記ＬＥＤモジュール２に流れ込み、その後、電流は前記第２の端子２２から前記順方向ダイオードＤ４２、前記接点１２２、前記挿入孔Ｙ２を順次に通過して、また更に前記安定器Ｌを経て前記電源接点Ｂから流れ出す。電流が負半周したときには前記電源接点Ｂから導入されるとともに前記安定器Ｌを経て、更に前記挿入孔Ｙ２から前記接点１２２、前記逆方向ダイオードＤ４４を順次に通過して、前記第１の端子２１を経て前記ＬＥＤモジュール２に流れ込み、その後、電流は前記第２の端子２２から前記逆方向ダイオードＤ３４、前記接点１１２を順次に通過して、また更に前記挿入孔Ｘ２を経て前記電源接点Ａから流れ出すようにすることで、完全な電流循環ループ回路が形成される。
【００２１】
図４を参照されたい。前記チューブランプ本体１を二つの前記ソケットＸ、Ｙに挿入したとき、前記接点１１１、１１２と前記挿入孔Ｘ１、Ｘ２、及び前記接点１２１、１２２と前記挿入孔Ｙ１、Ｙ２との間の対応関係を確認することはできないため、前記チューブランプ本体１が二つの前記ソケットＸ、Ｙに結合された後でも、前記接点１１２、１１１、１２２、１２１は前記挿入孔Ｘ１、Ｘ２、Ｙ１、Ｙ２に接触して順次に導通する可能性がある。
【００２２】
このように、電流が正半周したときには前記電源接点Ａから導入され、更に前記挿入孔Ｘ２から前記接点１１１、前記順方向ダイオードＤ３１を順次に通過して、また更に前記第１の端子２１から前記ＬＥＤモジュール２に流れ込み、その後電流は前記第２の端子２２から前記順方向ダイオードＤ４１、前記接点１２１、前記挿入孔Ｙ２を順次に通過して、そして更に前記安定器Ｌを経て前記電源接点Ｂから流れ出す。電流が負半周したときには前記電源接点Ｂから導入されるとともに前記安定器Ｌを経て、更に前記挿入孔Ｙ２から前記順次接点１２１、前記逆方向ダイオードＤ４３を通過して、前記第１の端子２１を経て前記ＬＥＤモジュール２に流れ込み、その後、電流は前記第２の端子２２から前記逆方向ダイオードＤ３３、前記接点１１１を順次に通過して、また更に前記挿入孔Ｘ２を経て前記電源接点Ａから流れ出すようにすることで、完全な電流循環ループ回路が形成される。
【００２３】
上記した構造及び組付け方式を用いることによって、前記電源接点Ａ、Ｂから導入された外部電流が蛍光灯照明器具のスタータＳを通過するのを阻止することで、前記スタータＳと前記安定器Ｌとで共振が生じて前記ソケットＸ、Ｙに高電圧が発生するのを効果的に防止して、ひいては前記ＬＥＤモジュール２が損傷しないよう保護することができる。
【００２４】
以上の記述をまとめるに、本考案の一般的な蛍光灯照明器具に適用するＬＥＤランプ構造は一般的な蛍光灯照明器具に直接取り付けることが可能となり、故障・損傷を来すことはなくなり、しかも取り扱い作業が便利であるという効果をもたらし、新規性及び進歩性を備えた考案であることは確かである。ただし上記説明した内容は、単に本考案における好ましい実施例の説明に過ぎず、凡そ本考案の技術的手段及び範疇に基づく派生的な変更、付加、改変又は等価の置き換えもまた本考案の実用新案登録請求の範囲内に収まるものである。
【符号の説明】
【００２５】
１              チューブランプ本体  
１１            第１の接点組
１２            第２の接点組
１１１          接点
１１２          接点
１２１          接点
１２２          接点
２              ＬＥＤモジュール
２１            第１の端子
２２            第２の端子
３              第１の整流モジュール
４              第２の整流モジュール
９              チューブランプ
９１            接点組
９２            接点組
９１１          端子ピン
９１２          端子ピン
９２１          端子ピン
９２２          端子ピン
Ａ              電源接点
Ｂ              電源接点
Ｄ３１          順方向ダイオード
Ｄ３２          順方向ダイオード
Ｄ４１          順方向ダイオード
Ｄ４２          順方向ダイオード
Ｄ３３          逆方向ダイオード
Ｄ３４          逆方向ダイオード
Ｄ４３          逆方向ダイオード
Ｄ４４          逆方向ダイオード
Ｇ              スイッチ
Ｌ              安定器
Ｓ              スタータ
Ｘ              ソケット
Ｙ              ソケット
Ｘ１            挿入孔
Ｘ２            挿入孔
Ｙ１            挿入孔
Ｙ２            挿入孔
【図１】
0003192283.tif 000003
【図２】
0003192283.tif 000004
【図３】
0003192283.tif 000005
【図４】
0003192283.tif 000006